(57)【要約】【課題】サラウンドサウンドを実現し、音声の立体感を向上させ、スピーカーを有するランプの音響性能を高めるスピーカーを有するランプを提供する。【解決手段】スピーカーを有するランプ１００は、互いに接続されたラウドスピーカー本体１及びベース３を備える。ラウドスピーカー本体１とベース３との間には、環状間隙４が設けられる。ラウドスピーカー本体１の出音口は、環状間隙４に向かって開口し、ラウドスピーカー本体１のベース３から遠い方の一端の中部領域には、発光部材が設けられる。発光部材はランプ柱状である。スピーカーを有するランプ１００は、コーン３１をさらに備える。コーン３１の横断面積が小さい一端は、ラウドスピーカー本体１に接続される。コーン３１の横断面積が大きい一端は、ベース３に接続され、環状間隙４がコーン３１を取り囲むように形成される。【選択図】図3
0003235527.tif 000002
【実用新案登録請求の範囲】
【請求項１】
互いに接続されたラウドスピーカー本体及びベースを備えた、スピーカーを有するランプであって、
前記ラウドスピーカー本体と前記ベースとの間には、環状間隙が設けられ、前記ラウドスピーカー本体の出音口は、前記環状間隙に向かって開口し、前記ラウドスピーカー本体の前記ベースから遠い方の一端の中部領域には、発光部材が設けられることを特徴とする、スピーカーを有するランプ。
【請求項２】
前記発光部材はランプ柱状であることを特徴とする請求項１に記載のスピーカーを有するランプ。
【請求項３】
コーンをさらに備え、
前記コーンの横断面積が小さい一端は、前記ラウドスピーカー本体に接続され、前記コーンの横断面積が大きい一端は、前記ベースに接続され、前記環状間隙が前記コーンを取り囲むように形成されることを特徴とする請求項１に記載のスピーカーを有するランプ。
【請求項４】
前記コーンの横断面積が小さな一端は、前記ラウドスピーカー本体と着脱可能に接続され、
前記コーンの横断面積が大きな一端は、前記ベースと着脱可能に接続されることを特徴とする請求項３に記載のスピーカーを有するランプ。
【請求項５】
前記コーンの錐面は円弧面に形成されることを特徴とする請求項３に記載のスピーカーを有するランプ。
【請求項６】
前記ラウドスピーカー本体内には、スピーカー単体及びフレームが設けられ、
前記スピーカー単体は、前記フレーム上に配設され、
前記フレームは、前記ラウドスピーカー本体の前記コーンに近い方の一端に設けられ、
前記コーンは、前記フレームを介して前記ラウドスピーカー本体に接続されることを特徴とする請求項３に記載のスピーカーを有するランプ。
【請求項７】
前記フレームは、第１の固定部、支持部及び第２の固定部を有し、
前記第２の固定部は、前記第１の固定部の中部領域に位置し、
前記第１の固定部と前記第２の固定部とは、前記支持部を介して互いに接続され、
前記第１の固定部は、前記ラウドスピーカー本体と接続され、
前記第２の固定部は、前記コーンと接続され、
前記コーンの頂端は、前記第２の固定部に当接されることを特徴とする請求項６に記載のスピーカーを有するランプ。
【請求項８】
前記支持部の前記ベースに近い方の一面には、凹溝が形成され、
前記凹溝内には、係合片が設けられ、
前記コーン上には、前記係合片と組み合わせる凸台が設けられることを特徴とする請求項７に記載のスピーカーを有するランプ。
【請求項９】
前記ベース内には、電池が配設され、
前記電池は、前記発光部材と接続され、
前記係合片と前記凹溝との間には、導線が配線される配線槽が形成され、
前記配線槽の一端は、前記ラウドスピーカー本体の内部と連通し、
前記コーンの頂端には、配線孔が形成され、
前記配線槽の他端は、前記配線と接続されることを特徴とする請求項８に記載のスピーカーを有するランプ。
【請求項１０】
前記ラウドスピーカー本体及び前記発光部材を制御する制御板をさらに備え、
前記制御板上には、調節ボタン及び遠隔制御ブロックが設けられ、
前記調節ボタンは、前記ラウドスピーカー本体の頂面から露出されるとともに、前記発光部材を取り囲むように設けられることを特徴とする請求項１に記載のスピーカーを有するランプ。
【考案の詳細な説明】
【技術分野】
【０００１】
本考案は、スピーカーを有するランプに関するものである。
【背景技術】
【０００２】
社会の発展に伴い、人々の生活水準が向上し、自宅にある各種家庭用電気製品及び電子製品が徐々に増え、机及びオフィスデスクの卓上用品が乱雑となり易かった。例えば、デスクライト及びスピーカーは、一般に机の上に置かれて使用されるため、広いスペースを取り、整理することが困難となることがあった。
【考案の概要】
【課題を解決するための手段】
【０００３】
上記課題を解決するために、本考案の第１の形態によれば、互いに接続されたラウドスピーカー本体及びベースを備えた、スピーカーを有するランプであって、前記ラウドスピーカー本体と前記ベースとの間には、環状間隙が設けられ、前記ラウドスピーカー本体の出音口は、前記環状間隙に向かって開口し、前記ラウドスピーカー本体の前記ベースから遠い方の一端の中部領域には、発光部材が設けられることを特徴とする、スピーカーを有するランプを提供する。
【図面の簡単な説明】
【０００４】
【図１】本考案の一実施形態に係るスピーカーを有するランプを示す斜視図である。
【図２】本考案の一実施形態に係るスピーカーを有するランプの別の角度からの斜視図である。
【図３】本考案の一実施形態に係るスピーカーを有するランプを示す分解斜視図である。
【図４】本考案の一実施形態に係るスピーカーを有するランプを示す組立断面図である。
【図５】本考案の一実施形態に係るスピーカーを有するランプのフレームを示す斜視図である。
【図６】図３のＡ部分の部分拡大図である。
【図７】図４のＢ部分の部分拡大図である。
【考案を実施するための形態】
【０００５】
図１〜図７を参照する。図１〜図７に示すように、本考案の一実施形態に係るスピーカーを有するランプ１００は、互いに接続されたラウドスピーカー本体１及びベース３を含む。ラウドスピーカー本体１とベース３との間には、環状間隙４が設けられる。ラウドスピーカー本体１の出音口は、環状間隙４に向かって開口する。ラウドスピーカー本体１のベース３から遠い方の一端の中部領域には、発光部材７が設けられる。
【０００６】
本実施形態のスピーカーを有するランプ１００には、ラウドスピーカー本体１及び発光部材７がそれぞれ結合され、照明機能及び音声機能を有することから、スピーカーを有するランプ１００の汎用性を高め、スピーカーを有するランプ１００の適用範囲を広げることができる。発光部材７は、ラウドスピーカー本体１のベース３から遠い方の一面に設置される。即ち、発光部材７は、ラウドスピーカー本体１の頂面に位置するため、スピーカーを有するランプ１００に必要な設置面積が減少し、机上を整理し易くし、ラウドスピーカー本体１とベース３との間に環状間隙４が設けられ、ラウドスピーカー本体１が発する音声は、まず環状間隙４に伝わった後、３６０度の径方向でスムーズに広がり、全方位に音声を伝えることができるとともに、サラウンドサウンドを実現し、音声の立体感を向上させ、スピーカーを有するランプ１００の音響性能を高めることができる。
【０００７】
本実施形態の発光部材７は、ランタンを模したランプである。
本実施形態のスピーカーを有するランプ１００は、コーン３１をさらに含む。コーン３１は、一端の横断面積が他端の横断面積より小さい。コーン３１の横断面積が小さい一端は、ラウドスピーカー本体１に接続され、コーン３１の横断面積が大きい一端は、ベース３に接続され、環状間隙４がコーン３１を取り囲むように形成される。また、コーン３１の横断面積が小さな一端の横断面積は、ラウドスピーカー本体１の横断面積より小さいため、ラウドスピーカー本体１とベース３との間に錐面が形成され、ラウドスピーカー本体１からの音声が錐面により反射されて環状間隙４の外方に伝わるため、スピーカーを有するランプ１００の音声伝達性能が高まる。
【０００８】
或いは選択的に、上述したコーン３１の横断面積が小さな一端は、上述したラウドスピーカー本体１と着脱可能に接続されるとともに（又は着脱可能に接続されるか）、上述したコーン３１の横断面積が大きな一端は、上述したベース３と着脱可能に接続される。
【０００９】
図３及び図４を併せて参照する。図３及び図４に示すように、他の実施形態では、コーン３１の横断面積が小さな一端とラウドスピーカー本体１とが着脱可能に接続され、コーン３１とベース３とが一体成形され、他の実施形態では、コーン３１とラウドスピーカー本体１とが一体成形され、コーン３１とベース３とが分離式に成形されてもよい。
【００１０】
実際には、本実施形態のラウドスピーカー本体１は、接続部材２を介してコーン３１の頂部に接続される。接続部材２は、固定効果を得るとともに、環状間隙４の出音効果に悪影響を及ぼさず、スピーカーを有するランプ１００の音響性能を高めることができる。
【００１１】
好ましくは、コーン３１の外側面は円弧面に形成され、前述した錐面も円弧面に形成されるため、スピーカーを有するランプ１００が発する音声の３Ｄサラウンドサウンド効果を高め、スピーカーを有するランプ１００の音響性能を高めてもよい。具体的には、本実施形態のコーン３１の外側面のラウドスピーカー本体１から遠い方の一側には円弧面が凹設されているが、他の実施形態では、コーン３１の外側面もラウドスピーカー本体１に近い方の一側に円弧面が突設されてもよい。
【００１２】
また、ラウドスピーカー本体１は、ハウジング１１と、ハウジング１１内に設けられたスピーカー単体１３と、を含む。ハウジング１１のコーン３１に近い方の一端には、スピーカー単体１３を取付けるフレーム１２が設けられる。コーン３１は、フレーム１２を介してラウドスピーカー本体１に接続される。具体的には、本実施形態の接続部材２は、フレーム１２を介してコーン３１と着脱可能に接続されているため、後日行うメンテナンスが容易となり、メンテナンスコストを減らすことができる。
【００１３】
図３〜図６を併せて参照する。図３〜図６に示すように、フレーム１２は、第１の固定部１２１、支持部１２２及び第２の固定部１２３を含む。第１の固定部１２１の中部領域には、出音孔１２４が形成される。出音孔１２４のコーン３１から遠い方の一端には、スピーカー単体１３を設置する設置ステップが設けられ、第２の固定部１２３は、出音孔１２４の中部領域に位置する。第１の固定部１２１と第２の固定部１２３とは、支持部１２２を介して互いに接続され、第１の固定部１２１は、ハウジング１１と接続され、接続部材２は、第２の固定部１２３と接続される。本実施形態の第２の固定部１２３上には、固定孔１２３１が形成され、固定孔１２３１に接続部材２が締まりばめされる。
【００１４】
また、上述したコーン３１の頂端には、取付孔３１１が形成される。上述した接続部材２は、上述した固定孔１２３１に挿通された後、上述した取付孔３１１内に接続される。上述したコーン３１の頂端は、上述した第２の固定部１２３に当接されるため、接続部材２がラウドスピーカー本体１及びコーン３１内に隠され、スピーカーを有するランプ１００の全体の体積を減らすことができる。
【００１５】
また、ラウドスピーカー本体１内には、固定部材１４が設けられ、取付ける際、まず、スピーカー単体１３をフレーム１２の設置ステップ上に設置してから、固定部材１４によりスピーカー単体１３をフレーム１２上に固定し、ポカヨケ及び固定作用を得ることができるため、後続の固定作業が容易となり、構造が簡素でコストパフォーマンスが高い。
【００１６】
図３〜図７を併せて参照する。図３〜図７に示すように、支持部１２２のコーン３１に近い方の一面には、凹溝１２２１が形成される。凹溝１２２１内には、係合片５が設けられる。コーン３１上には、係合片５と組み合わせる２つの凸台３１３が設けられる。係合片５と、コーン３１上の凸台３１３とを組み合わせて位置拘束の効果が得られる。組立てが完了すると、係合片５及び凸台３１３を互いに当接させてラウドスピーカー本体１とコーン３１とが旋回し合うことを防ぎ、スピーカーを有するランプ１００の構造安定性を高めることができる。
【００１７】
図３を併せて参照する。ラウドスピーカー本体１のコーン３１から遠い一端には、発光部材７が設けられる。具体的には、本実施形態の発光部材７は、ランプ体７１及びランプカバー７２を含む。ランプ体７１は、ラウドスピーカー本体１上に設けられる。ランプカバー７２は、ランプ体７１を含む。発光部材７は、スピーカーを有するランプ１００に照明機能を付与することができ、スピーカーを有するランプ１００の汎用性を高め、スピーカーを有するランプ１００の応用場面を増やすことができる。
【００１８】
図３、図４及び図６を併せて参照する。図３、図４及び図６に示すように、係合片５と凹溝１２２１との間には、配線槽６が形成される。配線槽６の一端は、ラウドスピーカー本体１の内部と連通し、コーン３１の頂端には、配線孔３１２が形成される。配線槽６の他端は、配線孔３１２と連通する。ここで、ラウドスピーカー本体１及びコーン３１は、互いに連通し合う配線槽６及び配線孔３１２を介して配線され、線材が露出されることを防ぎ、線材を保護するとともに見た目も良くすることができる。
【００１９】
好ましくは、係合片５の凹溝１２２１の底面に近い方の一面には、組合槽５１が形成される。組合槽５１の頂面が配線槽６と連通し、組合槽５１の一端が配線孔３１２と連通しているため、配線槽６の容積が増え、容易に配線することができる。
【００２０】
具体的には、ベース３内に位置する電池８の導線が配線槽６に配線された後、スピーカー単体１３、発光部材７及び制御板１５と接続される。
【００２１】
また、スピーカーを有するランプ１００は、給電する電池８を含んでもよい。電池８は、ラウドスピーカー本体１又はコーン３１内に設けられ、スピーカーを有するランプ１００は、電池８により商用電源が利用できない状況下でも使用することができ、応用場面が増えて汎用性が高まる。具体的には、本実施形態の電池８は、ベース３内に設けられ、電池８とスピーカー単体１３とを離して設置し、スピーカーを有するランプ１００の使用過程で局部が発熱するという大きな問題が発生することを防ぎ、スピーカーを有するランプ１００の使用寿命を延ばすことができる。また、電池８をベース３内に設置することによりスピーカーを有するランプ１００の重心が下方へ移動するため、スピーカーを有するランプ１００の安定性を高めることができる。
【００２２】
また、上述したベース３のラウドスピーカー本体１から遠い方の一面には、パッド９が設けられる。パッド９は、スピーカーを有するランプ１００の底面の摩擦力を高めることができるため、滑り止めの効果を得て、スピーカーを有するランプ１００の安定性を高めることができる。
【００２３】
また、スピーカーを有するランプ１００は、ラウドスピーカー本体１及び発光部材７を制御する制御板１５をさらに含む。制御板１５上には、調節ボタン１５１が設けられる。具体的には、本実施形態の調節ボタン１５１は、ラウドスピーカー本体１のスイッチボタン、発光部材７のスイッチボタン及び調節ボタン１５１を含む。他の実施形態において、調節ボタン１５１は、照明調節ボタンなど、他の機能を有する押しボタンを含んでもよい。
【００２４】
また、制御板１５上には、遠隔制御ブロックが設けられている。具体的には、本実施形態の遠隔制御ブロックは、Ｂｌｕｅｔｏｏｔｈ（登録商標）ブロックを含み、使用者は、容易にクライアントを介してスピーカーを有するランプ１００を遠隔制御することができる。なお、他の実施形態では、遠隔制御ブロックは、ＷｉＦｉブロックなど他の信号を送受信するブロックを含んでもよい。
【００２５】
本考案に係るスピーカーを有するランプは、従来技術と比べ、以下（１）〜（１０）の長所を有する。
（１）ラウドスピーカー本体とベースとの間には、環状間隙が設けられ、ラウドスピーカー本体内のスピーカー単体の出音部が環状間隙に向かって開口し、スピーカー単体が発する音声がその出音部から環状間隙に伝わった後、３６０度の径方向でスムーズに広がり、全方位に音声を伝えることができるとともに、サラウンドサウンドを実現し、音声の立体感を向上させ、スピーカーを有するランプの音響性能を高めることができる。
（２）コーンの横断面積が小さい一端は、ラウドスピーカー本体に接続され、コーンの横断面積が大きい一端は、ベースに接続され、コーンは、ラウドスピーカー本体とベースとの間に錐面が形成され、ラウドスピーカー本体からの音声が錐面により反射されて環状間隙の外方に伝わるため、スピーカーを有するランプの音声伝達性能が高まる。
（３）コーンとラウドスピーカー本体との接続方式及びコーンとベースとの接続方式には様々な種類があり、スピーカーを有するランプの構造を多様化させることができる。
（４）コーンの錐面が円弧面に形成されているため、スピーカーを有するランプが発する音声の３Ｄサラウンドサウンド効果を高め、スピーカーを有するランプの音響性能を高めることができる。
（５）フレームによりスピーカー単体を固定し、スピーカーを有するランプの構造安定性を高めることができる。
（６）コーンの頂端に第２の固定部が当接され、ベースとコーンとを組み合わせて下から上方向にかけて徐々に小さくなる錐体構造に成形されるため、コーン上に取付けられたラウドスピーカー本体が浮遊しているように見えてユーザに特別な体験を与えることができる。
（７）ラウドスピーカー本体上の係合片と、コーン上の凸台とを組み合わせて位置拘束し、組立てが完了すると、係合片及び凸台を互いに当接させてラウドスピーカー本体とコーンとが旋回し合うことを防ぎ、スピーカーを有するランプの構造安定性を高めることができる。
（８）ラウドスピーカー本体及びベースは、互いに連通した配線槽及び配線孔に配線されているため、線材が露出することを防ぎ、線材を保護するとともに見た目も良くすることができる。
（９）発光部材は、スピーカーを有するランプに照明機能を付加し、スピーカーを有するランプの汎用性を高め、スピーカーを有するランプの適用範囲を広げることができる。
（１０）制御板上に調節ボタン及び遠隔制御ブロックが設けられ、使用者は調節ボタンによりスピーカーを有するランプを制御し、クライアントがスピーカーを有するランプを遠隔制御することができる。
【符号の説明】
【００２６】
１  ラウドスピーカー本体
２  接続部材
３  ベース
４  環状間隙
５  係合片
６  配線槽
７  発光部材
８  電池
９  パッド
１１  ハウジング
１２  フレーム
１３  スピーカー単体
１４  固定部材
１５  制御板
３１  コーン
５１  組合槽
７１  ランプ体
７２  ランプカバー
１００  スピーカーを有するランプ
１２１  第１の固定部
１２２  支持部
１２３  第２の固定部
１２４  出音孔
１５１  調節ボタン
３１１  取付孔
３１２  配線孔
３１３  凸台
１２２１  凹溝
１２３１  固定孔
【図１】
0003235527.tif 000003
【図２】
0003235527.tif 000004
【図３】
0003235527.tif 000005
【図４】
0003235527.tif 000006
【図５】
0003235527.tif 000007
【図６】
0003235527.tif 000008
【図７】
0003235527.tif 000009